(57)【要約】【課題】  ウォッシュトイレの操作が楽にできるようにすること【解決手段】  便座の前方先端部にスタート，ストップ等のボタンのみを設けるようにしたことを特徴とする。【選択図】    図４
2016065384.tif 000002
【特許請求の範囲】
【請求項１】
便座の前方先端方向にボタンのみを設け、配線は便座裏側に設けて、本体は従来通りの位置に置くことを特徴とするローコスト・イージーウォッシュトイレ。
【発明の詳細な説明】
【技術分野】
【０００１】
本発明はお尻を洗うことができるローコスト・イージーウォッシュトイレに関する。
【背景技術】
【０００２】
従来のウォッシュトイレは、操作部が図１に示すように座る位置の側面に設けられている。図１は従来のウォッシュトイレの構成例を示している。図において、１は便座でその内部には温水を噴射するノズル２が設けられている。３は便座１の側面に設けられた制御部である。４は制御部３に設けられた操作部である。操作部４において、５は温水温度調節つまみ、６はオンスイッチ、７はストップスイッチである。このようなウォッシュトイレを使用する場合、人は便座１に腰かけた後、操作部４内のつまみ又はスイッチを使用して、ノズル２から温水を出射させて肛門を洗浄する。
【０００３】
図２は他の公知例を示す図である。図１と同一のものは、同一の符号を付して示す。この例は操作部８を引出すか、回転させて引出すようにしたものである。操作部８には温水温度調整つまみ９や、温水を噴射させるスタートボタン９ａ、噴射を停止させるストップボタン９ｂ等が設けられている（特許文献１参照）。この例では、操作部８を便座１の前方に引出して操作するので、操作性が比較的よい。
図３は他の公知例を示す図である。この公知例は、便座１の股をまたぐ中央近辺に操作部１０を設けたものである。操作部１０において、１２は温水温度調整つまみ、１１はオンスイッチ、１３はストップスイッチである。
【０００４】
従来のこの種のウォッシュトイレとしては、種々のものが開発されている。例えば、噴射ノズルを前と後ろに２個設けたもの（特許文献２参照）等がある。
【先行技術文献】
【特許文献】
【０００５】
【特許文献１】特開昭５９−８２８２２号公報
【特許文献２】特開昭５９−２１３８３３号公報
【発明の概要】
【発明が解決しようとする課題】
【０００６】
前述したように、従来のウォッシュトイレでは、操作するために便座に座ってから体を捻じ曲げてつまみ等を操作する必要があり、また便座の股の間にある制御部を操作する方法では、便座に座ってから体を曲げてつまみ等を操作する必要があり、操作性が良くなかった。
本発明はこのような課題に鑑みてなされたものであって、簡単な操作でかつローコストのローコスト・イージーウォッシュトイレを提供することを目的としている。
【課題を解決するための手段】
【０００７】
前記した課題を解決する本発明は、便座の股でまたぐ部分の便座の前方向先端部の側面にウォッシュトイレの動作を制御するボタン又はつまみを設けたものである。
【発明の効果】
【０００８】
本発明によれば、操作部を操作するために、体を捩じったり、体を前に曲げたりすることのないローコスト・イージーウォッシュトイレを提供することができる。
【図面の簡単な説明】
【０００９】
【図１】従来の公知例を示す図
【図２】従来の他の公知例を示す図
【図３】従来の他の公知例を示す図
【図４】本発明の構成例を示す図
【図５】便座を開いた時の様子を示す図
【発明を実施するための形態】
【００１０】
以下、図面を参照して本発明の実施例を詳細に説明する。図４は本発明の構成例を示す図である。図１と同一のものは、同一の符号を付して示す。図において、２１〜２３は操作つまみ又は押しボタンスイッチである。例えば真ん中の２２を温水温度調整つまみにし、両端の２１をスタートボタン、２３をストップボタンとすることができる。ボタン２１と２３は逆であってもよい。これらつまみ２２又は押しボタン２１，２３と、後述する制御部とを接続するために便座１の内部に沿って配線２４が設けられている。
【００１１】
配線２４は便座１の裏側に這わせられており、便器の後ろに設けられた制御部２５に接続されている。制御部２５には、お尻とビデの切り替えや、その他の初期状態の設定部（図示せず）が設けられている。更に、水道から吸入した水を温めるためのヒーターや温水と冷水の切り替えを行う弁等が組み込まれている。
【００１２】
図５は便座を開いた時の様子を示す図である。図４と同一のものは、同一の符号を付して示す。図５において、１は便座である。その先端には前述したスイッチ群が取り付けられており、図ではストップスイッチ２３が見えている。その奥に、温水温度調整つまみ２２とオンスイッチ２１が取り付けられている。配線２４はスイッチ２３等からの接点信号を後述する制御部３２に通知するようになっている。
【００１３】
３０は便器本体、３１は便座１を回転させるための回転支持部である。２５は前述した制御部である。３３は制御部２５内に設けられた操作部で、お尻とビデの切り替えスイッチ等が設けられている。３５は操作部３３内に設けられた複数のボタンである。これらボタン３５は、その他の初期設定のために設けられている。前記したボタン２３等からの接点信号が配線２４を介して制御部２５に入力されている。４０はウォッシュ用の水が貯留されている水タンク、４１は該水タンク４０と制御部２５を繋ぐパイプである。このように構成された装置の動作を説明すれば、以下の通りである。
【００１４】
先ず人が便座１に座ると、図示しない感圧スイッチがそのことを検知して制御部２５に通知する。この通知を受けた制御部２５は水タンク４０からパイプ４１を介して水を吸入し、内部のヒータ（図示せず）で水を温める。そこで、人が便座１の先端部にあるスタートボタン２１を押すと、その信号が制御部２５に通知され、制御部２５はノズル２から温水を人のお尻に噴射する。
お尻の汚れがとれると、人はストップボタン２３を押し、これによりノズル２からの温水の噴射は停止する。なお、その場合において、温水の温度が冷たかったり、熱すぎたりした場合には温水温度調整つまみ２２を回して希望の温度に調整する。制御部２５は温水温度調整つまみ２２からの信号を受けて、図示しないヒーターに流す電流の量を調整し、温水の温度を調整するようになっている。
【００１５】
このような一連の操作において、スタート，ストップボタンや温水温度調整つまみ２２の操作は体を曲げなくても、座った位置のままでこれらボタンを操作することができる。スイッチボタンの操作になれてくると、どのボタンがスタート用であるかどうか等が分かるようになるので、操作性は問題ない。本発明によれば、体を捩じったりする必要もない。従って本発明によれば、ローコストの操作性のよいイージーなウォッシュトイレを提供することができる。
上述の実施例では、つまみ又はスイッチを３個便座に設けた場合を例にとったが、本発明はこれに限るものではなく、必要に応じて任意の数のつまみ又はスイッチを設けることができ、これらも本発明に含まれるものである。
【産業上の利用可能性】
【００１６】
本発明は、各家庭において、あまねく利用することができる。本発明によれば、ローコストでイージーな操作性のよいウォッシュトイレを提供できるので、ウォッシュトイレの普及が進むものと思われる。
【符号の説明】
【００１７】
１    便座
２    ノズル
３    制御部
４    操作部
５    温水温度調整つまみ
６    スタートボタン
７    ストップボタン
８    操作部
９ａ  スタートボタン
９ｂ  ストップボタン
１０  制御部
１１  スタートボタン
１２  温水温度調整つまみ
１３  ストップボタン
２１  スタートボタン
２２  温水温度調整つまみ
２３  ストップボタン
２４  配線
２５  制御部
３０  便器本体
３１  回転支持部
３２  制御部
３３  操作部
３５  ボタン
４０  水タンク
４１  パイプ
【図１】
2016065384.tif 000003
【図２】
2016065384.tif 000004
【図３】
2016065384.tif 000005
【図４】
2016065384.tif 000006
【図５】
2016065384.tif 000007
【手続補正書】
【提出日】平成27年11月16日(2015.11.16)
【手続補正１】
【補正対象書類名】特許請求の範囲
【補正対象項目名】請求項１
【補正方法】変更
【補正の内容】
【請求項１】
便座に座った時の両足の間の便座前方先端に水平方向に押すボタンを設けたことを特徴とするシンプル操作ローコスト・イージー衛生ウォッシュトイレ。